(57)【特許請求の範囲】
【請求項１】
ハンドル収納用の凹所を備えるハウジングと、一端側を支点として他端側である握持端を前記凹所から起伏可能に収納されたハンドルとを備え、前記ハウジングを扉の取付け孔に装着して使用する平面ハンドルにおいて、前記ハンドルに設けられた第１係止部及び第２係止部と、前記凹所に配置され、前記ハンドルを前記凹所に収納した時に前記第１係止部に係止して前記ハンドルを倒伏した状態に維持する係止爪を備える１次ロック用係止体と、前記ハウジングに取り付けられ、前記係止爪を前記第１係止部との係止から解除する方向に前記１次ロック用係止体を動かす電磁ソレノイド装置と、前記凹所内を摺動可能に設置された可動体を備える２次ロック用のラッチ装置とを備え、
前記ラッチ装置の前記可動体は、倒伏した前記ハンドルの前記第２係止部に係止する突起、前記ハウジングの前方から鍵を挿入可能な鍵穴、及びこの鍵穴に挿入された前記鍵で操作可能な回動部を備え、
前記可動体が前記第２係止部に向かって常時付勢されていることにより前記突起が倒伏した前記ハンドルの前記第２係止部に係止し、前記可動体の前記回動部は、前記鍵の操作により前記１次ロック用係止体に連動し、この１次ロック用係止体の前記係止爪を前記第１係止部から離脱させて前記ハンドルの１次ロックを解除可能とされていることを特徴とする平面ハンドル。
【請求項２】
前記ラッチ装置における前記可動体の前記回動部が、前記鍵の操作により前記１次ロック用係止体に連動すると共に２次ロック用の前記ラッチ装置をも動かし、この１次ロック用係止体の前記係止爪と前記可動体の前記突起との両方を前記第１係止部及び第２係止部から離脱させて前記ハンドルに対して１次ロック及び２次ロックを同時又は順次に解除する請求項１に記載の平面ハンドル。
【請求項３】
前記ハンドルの前記握持端側には前記凹所内に向かって突出する突出部が形成され、前記第１係止部及び第２係止部が前記突出部に設けられている請求項１又は２に記載の平面ハンドル。
【請求項４】
前記第１係止部及び第２係止部は、前記突出部に形成された前記凹部である請求項３に記載の平面ハンドル。
【請求項５】
前記ハウジングに設けられた前記１次ロック用係止体は、前記係止爪が前記第１係止部に係止するようにバネにより常時付勢力が及ぼされている請求項１〜４のいずれかに記載の平面ハンドル。
【請求項６】
前記ラッチ装置における前記可動体の前記回転部が前記鍵の操作により回転する軸部及びこれに設けられた板カムを有し、前記１次ロック用係止体がこの板カムの周囲部に摺接するカムフォロアー部を備えている請求項１〜５のいずれかに記載の平面ハンドル。
【発明の詳細な説明】
【０００１】
【発明の属する技術分野】
本発明は平面ハンドルに関し、更に詳細には、不使用時にはハンドルをハウジングの凹所に収納し、使用時にハンドルの一端側を支点としてこれを旋回させ、他端側（握持端）を起伏させる平面ハンドルの改良に関する。
【０００２】
【従来の技術】
従来、この種の平面ハンドルは、実開平５−７１３７５号公報及び特開平９−２８７３２７号公報などに開示されているように、例えば電源操作ボックスの扉を開け閉めする際の取っ手又は施錠機構付き取っ手として既に多数使用されており、よく知られている。
【０００３】
従来の平面ハンドルは、ハンドルと、このハンドルを不使用時に収納する凹所を備えたハウジングとを有している。ハンドルは、一端側を支点として旋回可能に凹所内に収納され、使用時にはその旋回によりその支点である一端側から握持端にわたって凹所から斜めに起立する。
【０００４】
ハウジングの凹所の背面部には、ハンドルが起立する動作によって、又は起立したハンドルの更なる操作によって固定枠に係脱可能な爪金具設けられている。このような平面ハンドルは、例えば前述した電源操作ボックスの固定枠に開閉可能に取り付けられている扉に形成された取付け孔にハウジングを装着して使用される。
【０００５】
この平面ハンドルにはラッチ装置が設けられており、このラッチ装置は、ハンドルの不使用時に倒伏したハンドルをハウジングの凹所に収納された状態に保ち、かつハンドルが不用意に凹所から起立しないようにハンドルの握持端に係止している。このラッチ装置は凹所内に摺動可能に配置され、更にハンドルの握持端に形成された係止部に係止する突起を備えている。
【０００６】
この突起は、三角形状を呈し、傾斜面を凹所の開放部に向けてラッチ装置に設けられている。このように突起はラッチ装置に固定的に設けられているため、ラッチ装置が凹所内で摺動させられると、突起も移動してハンドルの他端に離隔接近する。
【０００７】
これにより、ラッチ装置の突起がハンドルの握持端に形成された係止部に係止又は離脱することになる。通常、このラッチ装置には錠が設けられ、その鍵穴に鍵を入れて回すことによりラッチ装置の凹所内での摺動を可能にしたり、或いは摺動を不能にすべくロック状態とするようになっている。
【０００８】
前述した従来の平面ハンドルは、これが取り付けられている例えば電源操作ボックスの扉を操作者が開ける際、ラッチ装置に設けられている指掛け部に操作者の指を掛けてこれをハンドルから離す方向に凹所内を摺動させると、突起がハンドルの握持端に形成された係止部から離脱してハンドルがバネ力により一端側を支点として旋回し、凹所から斜めに起立することになる。
【０００９】
そこで、操作者は、ハウジングの凹所から起立したハンドルを掴んで例えば約６０度程度回転し、固定枠に先端部が係止している扉側の爪金具をハンドルの起立操作又はその後の回転操作に連動して回転して、爪金具先端部の固定枠に対する係止を解除する。これにより、扉は固定枠に対してヒンジにより開閉できるようになる。
【００１０】
このようにして扉を開け、電源操作ボックス内の必要な装置やスイッチ類などを操作点検する。扉を閉める時には、ハンドルを持って扉を閉めた後、操作者がハンドルを元の位置にまで戻して爪金具の先端部を固定枠に係止し、次いでハンドルの握持端を押してハウジングの凹所内に収納する。
【００１１】
すると、ハンドルの握持端がラッチ装置の突起に形成されている傾斜面に当接してこれを押圧する。ラッチ装置は、握持端に向かってバネ付勢されているため凹所内でハンドルの握持端から離れる方向へ摺動する。ラッチ装置の突起がハンドルの握持端係止部に整合すると、この突起がバネ付勢力によりハンドルの握持端係止部に係止し、これによりハンドルを凹所内で収納状態に維持する。
【００１２】
【発明が解決しようとする課題】
しかしながら、従来の平面ハンドルでは、ラッチ装置の動きをロック又は解除する鍵さえあれば、簡単にラッチ装置のロックを解除することができ、ハンドルをハウジングの凹所内から起立させて扉の開閉を行うことができるため、扉の開閉について更に厳重な管理を行うことができる平面ハンドルの提供が望まれた。
【００１３】
このような要求は、例えば前述した構成の平面ハンドルに電磁ソレノイド装置を設けることにより１次ロック機構を構成し、従来のラッチ装置を２次ロック機構とした平面ハンドルにより応えることができる。この平面ハンドルによると、ハンドルの握持端には２つの係止部が形成され、その１つには従来通りにラッチ装置の突起が係止し、他の１つにはこの平面ハンドルに組み込まれた別体の係止金具の係止爪が係脱する。
【００１４】
この係止金具は電磁ソレノイド装置の可動ロッドに接続されており、従って電磁ソレノイド装置に通電した時には可動ロッドが電磁ソレノイド装置の本体内に磁気吸引作用により引き込まれるため係止金具が移動し、これにより係止金具の係止爪がハンドルの握持端に形成された係止部から外れるようになっている。
【００１５】
この電磁ソレノイド装置に通電するスイッチは、例えば管理室や警備室などに配置されている。このような平面ハンドルを取り付けた扉の場合、この扉を開けて電源操作ボックス内の装置やスイッチ類を操作点検する時には、操作者が管理室や警備室などに行くか、或いは別な管理者が電磁ソレノイド装置通電用のスイッチをオンにし、電磁ソレノイド装置に通電して１次ロックを解除する。
【００１６】
その後に、操作者がラッチ装置を操作してハンドルをハウジングの凹所から起立させ、これを回転するなどして扉の係止を解錠して開けることになる。他方、電源操作ボックス内の操作点検が終了した後は、扉を閉めてハンドルをハウジングの凹所内に収納した後、電磁ソレノイド装置通電用のスイッチをオフにして電磁ソレノイド装置への通電を切る。
【００１７】
電磁ソレノイド装置への通電が切られると、電磁ソレノイド装置の可動ロッドはこれに付与されているバネ付勢力よって、電磁ソレノイド装置本体に引き込まれる前の元の位置に戻り、これにより係止金具も元の位置に復帰して係止爪がハンドルにおける握持端の係止部に進入して１次ロック状態となる。
【００１８】
このような平面ハンドルの場合、確かに、これを操作する際の管理態勢が厳格になる。しかも、例えば電気系統などに通電遮断が起き、電磁ソレノイド装置へ通電できなくなったような場合には平面ハンドルの１次ロックを解除することができなくなることから、非常に安全な機構であるといえる。しかし、この平面ハンドルでは、電磁ソレノイド装置へ通電できない場合に、どうしても扉を開けなければならないという必要に応えることができないという問題があった。
【００１９】
本発明の目的は、ハンドルをハウジングの凹所内で収納維持する係止手段として、電磁ソレノイド装置による１次ロック手段とラッチ装置による２次ロック手段を用いる場合、電磁ソレノイド装置への通電が不能となった場合に手動で１次ロックを解除することができる平面ハンドルを提供することにある。
【００２０】
【課題を解決するための手段】
本発明は平面ハンドルに関し、前述した技術的課題を解決するために以下のように構成されている。すなわち、本発明は、ハンドル収納用の凹所を備えるハウジングと、一端側を支点として他端側である握持端を凹所から起伏可能に収納されたハンドルとを備え、ハウジングを扉の取付け孔に装着して使用する平面ハンドルにおいて、ハンドルに設けられた第１係止部及び第２係止部と、凹所に配置され、ハンドルの凹所収納時に第１係止部に係止してハンドルを倒伏した状態に維持する係止爪を備える１次ロック用係止体と、ハウジングに取り付けられ、係止爪を第１係止部との係止から解除する方向に１次ロック用係止体を動かす電磁ソレノイド装置と、凹所内を摺動可能に設置された可動体を備える２次ロック用のラッチ装置とを備え、ラッチ装置の可動体は、倒伏したハンドルの第２係止部に係止する突起、ハウジングの前方から鍵を挿入可能な鍵穴、及びこの鍵穴に挿入された鍵で操作可能な回動部を備え、可動体が第２係止部に向かって常時付勢されていることにより突起が倒伏したハンドルの第２係止部に係止し、可動体の回動部は、鍵の操作により１次ロック用係止体に連動し、この１次ロック用係止体の係止爪を第１係止部から離脱させてハンドルの１次ロックを解除可能とされていることを特徴とする平面ハンドル。
【００２１】
また、本発明の平面ハンドルは、前述した必須の構成要素からなるが、その構成要素が具体的に以下のような場合であっても成立する。その具体的構成要素とは、ラッチ装置における可動体の回動部が、鍵の操作により１次ロック用係止体に連動すると共に２次ロック用のラッチ装置をも動かし、この１次ロック用係止体の係止爪と可動体の突起との両方を第１係止部及び第２係止部から離脱させてハンドルに対して１次ロック及び２次ロックを同時又は順次に解除することを特徴とする。
【００２２】
更に、また、本発明の平面ハンドルは、ハンドルの握持端側に凹所内に向かって突出する突出部を形成し、この突出部に第１係止部及び第２係止部を設けることが構成の簡易化の点で好ましい。更にまた、本発明の平面ハンドルでは、第１係止部及び第２係止部を突出部に形成された凹部とすることが好ましい。
【００２３】
また、本発明の平面ハンドルでは、凹所内に配置された１次ロック用係止体に対して、係止爪を第１係止部に係止するようにバネにより常時付勢力を及ぼすことが好ましい。更に、本発明の平面ハンドルでは、ラッチ装置における可動体の回転部が鍵の操作により回転する軸部及びこれに設けられた板カムを有し、また１次ロック用係止体がこの板カムの周囲部に摺接するカムフォロアー部を備えていることが好ましい。
【００２４】
【発明の実施の形態】
以下、本発明の平面ハンドルを図に示される実施形態について更に詳細に説明する。図１は本発明の一実施形態に係る平面ハンドル１０を扉に装着し、扉などを部分的に破断してこの平面ハンドルの取付け状態を示す斜視図、図２は図１に示される平面ハンドル１０のみを示す正面図、図３は図２に示される平面ハンドル１０の背面図、図４は図２の４−４線に沿って切断して平面ハンドル１０の断面構造を示す縦断面図、図５は図２に示される平面ハンドル１０の組立て図である。
【００２５】
この実施形態に係る平面ハンドル１０は、ハンドル１１と、背面方向にくぼんで形成されたハンドル収納部１２を有するハウジング１３とを備えている。このハンドル収納部１２は平面ハンドル１０を正面側から見た時に凹所１２ａとなっており、ハンドル１１は一端側を支点として旋回し、他端側である握持端が凹所１２ａから起伏可能に収納されている。
【００２６】
すなわち、図４及び図５に示されるように、ハンドル１１の一端側である上端１１ａの背面部には、１つの角部（尖端部）１４ａを凹所１２ａの底面方向に向けた三角形状の隆起部１４が形成されている。この隆起部１４には、操作ロッド１５の一端がピン１６により枢着されている。この操作ロッド１５の他端は、凹所１２ａの底面部に形成された貫通孔を通過してその背面側に突出している。
【００２７】
凹所１２ａの背面側に突出した操作ロッド１５の他端は角形の軸部とされている。この軸部には断面コ字形をした爪金具取付け円筒体１７及び後述する爪金具３１がそれぞれに形成された角穴を順次に嵌め込んで配置され、最後にワッシャを介して固定じ１８を軸部端面のねじ穴に螺合することより脱落不能に取り付けられている。
【００２８】
この爪金具取付け円筒体１７の内部には、その円形側面部とハウジング１３の背面部との間にコイルスプリング１９が配置されており、これにより操作ロッド１５は、爪金具取付け円筒体１７を介してハウジング１３の背面方向に常に引っ張られている。
【００２９】
一方、ハンドル１１に形成された隆起部１４の角部１４ａは、図５から明らかなようにハンドル１１に取り付けられて組み立てられた操作ロッド１５の中心軸線よりハンドル１１の他端側である下端（握持端）１１ｂ側に幾分寄った位置に存在している。これにより、コイルスプリング１９の付勢力により操作ロッド１５を介してハンドル１１の上端１１ａが凹所１２ａ内方向に引っ張られ、凹所１２ａの底面に接触している隆起部１４の角部１４ａを支点として、ハンドル１１の握持端１１ｂが凹所１２ａから起立する旋回力が付与される。この旋回力はハンドル１１に常に及ぼされている。
【００３０】
ハンドル１１の握持端１１ｂにおける背面部には突出部１１ｃが一体的に形成され、この突出部１１ｃにはハンドル１１の長手方向に沿う方向（以下、上下方向という）に貫通する開口２０が形成されている。この開口２０がハンドルに設けられた第１係止部及び第２係止部として作用する。すなわち、ハンドル１１の握持端１１ｂにおける背面部に設けた突出部１１ｃに開口２０を形成することで、２つの係止部の機能を併せ持たせている。この点については後述する。
【００３１】
次に、２次ロック用のラッチ装置２１は、ハウジング１３の凹所１２ａ内に倒伏された状態にあるハンドル１１の握持端１１ｂに近接して、凹所１２ａの長手方向に摺動可能に配置されている。このラッチ装置２１は、凹所１２ａ内を摺動可能に設置された可動体２２を備えている。この可動体２２の上部には、断面三角形状の突起２２ａが傾斜面を凹所１２ａの開放側に向けて設けられている。この突起２２ａは可動体２２に固定的に設けられているため、可動体２２が凹所１２ａ内で摺動すると、突起２２ａも移動してハンドル１１の握持端１１ｂに離隔接近することになる。
【００３２】
この可動体２２にはその正面側下端からハンドル１１とは反対方向にベローのように延出する指掛け部２２ｂが設けられている。更に、この可動体２２は錠２２ｃと、この錠２２ｃの鍵穴２２ｄに挿入された鍵で操作可能な回動部２３とを備えている。回動部２３は、錠２２ｃの鍵穴２２ｄに挿入された鍵で回転され、可動体２２の背面側に突出した軸部２３ａ及びこれに取り付けられたほぼ楕円形状の板カム２３ｂで構成されている。
【００３３】
このように構成されたラッチ装置２１は、ハウジング１３の凹所１２ａ内に位置している可動体２２の端部とこれに対向する凹所１２ａの下端部との間に配置されたコイルスプリング２４を有している。このコイルスプリング２４により、可動体２２は、常時、ハンドル１１の握持端１１ｂに向かって凹所１１内を摺動する力が付与されていることになる。
【００３４】
その結果、ラッチ装置２１における可動体２２の上部に設けた突起２２ａは、凹所１２ａに収納されているハンドル１１の握持端１１ｂ側における突出部１１ｃの開口２０に一方向（図２〜図４で見て下方向側）から進入して突出部１１ｃに係止し、凹所１２ａ内に倒伏されたハンドル１１が起立しないように２次ロックして収納することになる。
【００３５】
ハウジング１３の凹所１２ａにハンドル１１が収納されている状態において、ハンドル１１の握持端１１ｂにおける突出部１１ｃが位置する付近における凹所１２ａの底面部には開口部１２ｂ（図１参照）が形成されている。この開口部１２ｂを介してハウジング１３の背面側と凹所１２ａとの間に延在するように、１次ロック用係止体２５が配置されている。この１次ロック用係止体２５の先端部である係止爪２５ａは凹所１２ａ内に位置している。
【００３６】
ハウジング１３の背面部には取付けマウント２６を介して電磁ソレノイド装置２７が取り付けられており、その本体部２７ａからは可動ロッド２７ｂが突出し、１次ロック用係止体２５におけるハウジング１３の背面側に位置する部位に連結されている。可動ロッド２７ｂの周囲にはコイルスプリング２７ｃが設置され、このコイルスプリング２７ｃは１次ロック用係止体２５を電磁ソレノイド装置２７の本体部２７ａから常に離れる方向に付勢している。
【００３７】
これにより、１次ロック用係止体２５の係止爪２５ａは、凹所１２ａに倒伏されたハンドル１１の握持端１１ｂ背面部における突出部１１ｃの開口２０に進入してこの突出部１１ｃに係止し、これにより凹所１２ａからハンドル１１が起立しないように１次ロックする。
【００３８】
このように、ハンドル１１の握持端１１ｂ側における突出部１１ｃの開口２０は、凹所１２ａの長手方向に沿う方向である上下方向から１次ロック用係止体２５の係止爪２５ａとラッチ装置２１における可動体２２の突起２２ａとが進入して突出部１１ｃに係止することから、この開口２０は１次ロックと２次ロックのための第１係止部及び第２係止部を兼用していることになる。
【００３９】
ハンドル１１を１次ロック及び２次ロックする１次ロック用係止体２５の係止爪２５ａとラッチ装置２１における可動体２２の突起２２ａとを開口２０から外して、これらの解除を行う場合は、可動体２２に設けられた回動部２３を回動させ、この動きで１次ロック用係止体２５を上昇させる連動機構によっている。すなわち、１次ロック用係止体２５におけるハウジング１３の背面側に位置する部位にはカムフォロアー部２５ｂが一体的に設けられている。
【００４０】
このカムフォロアー部２５ｂは、電磁ソレノイド装置２７の可動ロッド２７ｂとほぼ平行に配置されており、そのカムフォロアー部２５ｂの下端は板カム２３の周囲部に摺接している。なお、図３〜図５において符号２７ｄは電磁ソレノイド装置２７の本体部２７ａに給電するリード線を示し、また符号２８はラッチ装置２１が配置されている凹所１２ａの底面開口を塞ぐ背面カバーを示している。
【００４１】
このように構成された平面ハンドル１０は、例えば電源操作ボックスの扉に取り付けて使用するが、その場合ハウジング１３の背面側に突出したハンドル収納部１２を扉３０に形成した取付け孔に挿入し、ハウジング１３の周囲フランジ１３ａを扉３０の表面に密着させる一方、扉３０の裏面に取付け板２９（図１及び図５参照）を密着させてフランジ１３ａと取付け板２９とで扉３０を挟持することにより扉３０に堅固に固着される。そして、図１に示されるようにハンドル１１に連動して回転する爪金具取付け円筒体１７に爪金具３１がねじなどを用いて取り付けられる。
【００４２】
次に、この実施形態に係る平面ハンドル１０の動作について説明する。図２〜図４に示されるようにハウジング１３の凹所１２ａ内にハンドル１１が収納されている状態であって、電磁ソレノイド装置２７に通電されていない時は、１次ロック用係止体２５の係止爪２５ａ及びラッチ装置２１を構成する可動体２２の突起２２ａの両方が、ハンドル１１の握持端１１ｂ背面部に形成された突出部１１ｃの開口２０にその上下方向から進入してハンドル１１を１次ロック及び２次ロックし、収納状態を維持している。
【００４３】
この時の板カム２３とカムフォロアー部２５ｂとの関係としては、カムフォロアー部２５ｂの下端が、板カム２３ｂの回転中心Ｏに近い距離にある周囲部の部位２３ｃに摺接し、従ってカムフォロアー部２５ｂの下端は下がった位置にある。その結果、１次ロック用係止体２５はコイルスプリング２７ｃの付勢力によって下がり、先端部の係止爪２５ａがハンドル１１の突出部１１ｃに形成された開口２０に係止している。
【００４４】
この状態から扉３０を開ける際に平面ハンドル１０のハンドル１１をハウジング１３の凹所１２ａから起立させる場合には、通常であれば、最初に電磁ソレノイド装置２７に給電するスイッチ（図示せず）をオンにしてこの電磁ソレノイド装置２７に通電する。これにより電磁ソレノイド装置２７の本体部２７ａ内で磁気吸引力が働いて、可動ロッド２７ｂがコイルスプリング２７ｃの付勢力に抗してこの本体部２７ａ内に引き込まれ、その結果１次ロック用係止体２５が上方へ移動して係止爪２５ａがハンドル１１の突出部１１ｃに形成された開口２０から抜け出ることから１次ロックが解除される。
【００４５】
このようにして、１次ロックを解除した後に操作者が、この平面ハンドル１０を扉３０に取り付けた電源操作ボックスまで行き、ラッチ装置２１における可動体２２の指掛け部２２ｂに指を乗せて可動体２２をハンドル１１から離す方向に摺動させると、その可動体２２の上部に設けられている突起２２ａがハンドル１１の突出部１１ｃに形成された開口２０から抜け出る。
【００４６】
この結果、ハンドル１１の２次ロックも解除されるため、ハンドル１１は上端１１ａの背面部に形成されている隆起部１４の角部１４ａを支点として握持端１１ｂが図１に示される矢印３２の方向に斜めに起立する。次いで、ハウジング１３の凹所１２ａから起立したハンドル１１を持って回転すると図１に示される矢印３３の方向に爪金具３１が回転して、先端部の爪３１ａが固定枠３４の係止部から外れ、これにより扉３０を開けることができる。
【００４７】
しかし、電磁ソレノイド装置２７への通電が不能となった場合には、１次ロックが解除できないため、たとえラッチ装置２１の可動体２２を摺動して突起２２ａをハンドル１１の突出部１１ｃに形成された開口２０から外して２次ロックを解除しても、ハンドル１１を起立させることはできない。そのような場合には、可動体２２における錠２２ｃの鍵穴２２ａに鍵を差し込んでこれを回す。
【００４８】
これにより可動体２２の軸部２３ａが回転することで、可動体２２の背面から突出しているこの軸部２３ａの端部に取り付けられている板カム２３ｂが図３に示される矢印２３ｅの方向に回転する。その結果、この板カム２３ｂの周囲部に摺接しているカムフォロアー部２５ｂが板カム２３ｂの楕円形状に伴って動く。この時の動きにおいて、カムフォロアー部２５ｂが図３及び図４で見て上方へ押し上げられると、このカムフォロアー部２５ｂと一体に形成されている１次ロック用係止体２５が上昇し、係止爪２５ａがハンドル１１の突出部１１ｃに形成された開口２０から離脱することになる。
【００４９】
このように１次ロック用係止体２５が板カム２３ｂの回転によって電磁ソレノイド装置２７の本体部２７ａに近づく方向に移動すると、この一次ロック用係止体２５の係止爪２５ａがハンドル１１の突出部１１ｃに形成された開口２０から離脱した後に１次ロック用係止体２５がハウジング１３の背面部から凹所１２ａへ延びる開口部１２ｂの上縁部に当接してその動きが阻止される。なお、この時の板カム２３ｂとカムフォロアー部２５ｂとの関係としては、板カム２３ｂの回転中心Ｏから最大の距離にある周囲部の部位２３ｄは、まだカムフォロアー部２５ｂに達していない。
【００５０】
それでも、板カム２３ｂが回転すると、今度は逆に板カム２３ｂを支持しているラッチ装置２１の可動体２２自体が反作用力を受けてハンドル１１から離れる方向に、即ち図２の下方向へ向かって凹所１２ａ内をコイルスプリング２４の付勢力に抗して摺動する。その結果、ラッチ装置２１の可動体２２に設けられている突起２２ａがハンドル１１における突出部１１ｃの開口２０から離脱して２次ロックも解除され、これによりハンドル１１がこれに付与されている旋回力により凹所１２ａから起立する。
【００５１】
起立したハンドル１１をハウジング１３の凹所１２ａ内に戻す場合には、予め鍵を回して錠２２ｃの動作状態を元に戻した後（即ち、板カム２３ｂを図３に示される元の状態に復帰させた後）、ハンドル１１を凹所１１ａに倒伏させる。これにより、ハンドル１１における握持端１１ｂの背面部に形成された突出部１１ｃが１次ロック用係止体２５の係止爪２５ａとラッチ装置２１における可動体２２の突起２２ａとにそれぞれ形成されている傾斜面を押圧してそれぞれに分力を付与し、これにより１次ロック用係止体２５が上方へ、またラッチ装置２１の可動体２２が下方へ動いて係止爪２５ａと突起２２ａとが突出部１１ｃの移動経路から退く。
【００５２】
次いで、ハンドル１１の握持端１１ｂを更に凹所１２ａ内に押し込むと、１次ロック用係止体２５の係止爪２５ａとラッチ装置２１における可動体２２の突起２２ａとがバネ力により突出部１１ｃに形成された開口２０に進入して係止し、１次ロック及び２次ロックが掛かる。
【００５３】
前述した本発明の実施形態に係る平面ハンドル１０では、１次ロック用係止体２５の係止爪２５ａとラッチ装置２１における可動体２２の突起２２ａとがハンドル１１の握持端１１ｂに係止する係止部として、ハンドル１１における握持端１１ｂ背面部の突出部１１ｃに形成された１つの開口を兼用するようにしたが、本発明はこのような構造に限定されるものではなく、図６に示されるようにハンドル１１における握持端１１ｂ背面部の突出部１１ｃの上下面にＶ字状の係止溝２０ａ、２０ｂをそれぞれ個別に設けてもよい。
【００５４】
また、１次ロック用係止体２５の係止爪２５ａとラッチ装置２１における可動体２２の突起２２ａとが係止する係止部を、ハンドル１１における握持端１１ｂ背面部の突出部１１ｃの上下面に形成したが、１次ロック係止体２５が係止する係止部を、ラッチ装置２１から離れた箇所に設けてもよい。
【００５５】
ただし、その場合、ラッチ装置２１における可動体２２の錠２２ｃによって回転される軸部２３ａに取り付けられた板カム２３ｂの周囲部に接触するカムフォロアー部２５ｂの動きを１次ロック用係止体２５に伝達できる位置にこの１次ロック用係止体２５を存在させる必要がある。
【００５６】
【発明の効果】
本発明の平面ハンドルによれば、ハンドルをハウジングの凹所内で収納維持する係止手段として、電磁ソレノイド装置による１次ロック手段と手動式のラッチ装置による２次ロック手段を用いる場合、電磁ソレノイド装置への通電が不能となると、１次ロックを手動で解除することができる。
【図面の簡単な説明】
【図１】扉に装着されている平面ハンドルを、扉を部分的に破断して示す斜視図である。
【図２】図１に示される平面ハンドルを示す正面図である。
【図３】図２に示される平面ハンドルの背面図である。
【図４】図２の平面ハンドルを４−４線で切断して示す縦断面図である。
【図５】図２に示される平面ハンドルの組立て図である。
【図６】本発明の他の実施形態に係る平面ハンドルにおけるハンドルの部分的な斜視図である。
【符号の説明】
１０  平面ハンドル
１１  ハンドル
１１ａ  上端（一端）
１１ｂ  下端（他端）
１１ｃ  突出部
１２  ハンドル収納部
１２ａ  凹所
１２ｂ  開口部
１３  ハウジング
１４ 隆起部
１４ａ  角部
１５  操作ロッド
１６  ピン
１７  爪金具取付け円筒体
１８  固定ねじ
１９  コイルスプリング
２０  開口（第１係止部及び第２係止部）
２０ａ  係止溝
２０ｂ  係止溝
２１  ラッチ装置
２２  可動体
２２ａ  突起
２２ｂ  指掛け部
２２ｃ  錠
２２ｄ  鍵穴
２３  回動部
２３ａ  軸部
２３ｂ  板カム
２４  コイルスプリング
２５  １次ロック係止体
２５ａ  １次ロック係止体の係止爪
２５ｂ  カムフォロアー部
２６  取付けマウント
２７  電磁ソレノイド装置
２７ａ  本体部
２７ｂ  可動ロッド
２７ｃ  コイルスプリング
２７ｄ  リード線
２８  背面カバー
２９  取付け板
３０  扉
３１  爪金具
３２、３３  矢印
３４  固定枠
【図１】
0003842141.tif 000002
【図２】
0003842141.tif 000003
【図３】
0003842141.tif 000004
【図４】
0003842141.tif 000005
【図５】
0003842141.tif 000006
【図６】
0003842141.tif 000007